(57)【要約】      （修正有）【課題】安全、確実で機能及び付加価値の向上を図ることができる誘導灯装置及び誘導灯装置制御システムを提供する。【解決手段】表示内容が可変可能な表示手段３を有する器具本体と、バッテリ８と、表示手段に接続されるとともに、常時は商用電源４からの給電により表示手段に表示内容を表示させ、商用電源４の遮断時にはバッテリ８からの給電により表示手段に表示内容を表示させる制御手段７とを具備し、制御手段７は、非常時には、少なくとも標準化されたシンボルの内容をそのパターンを変えることなく表示手段に表示させるようにしたことを特徴とする誘導灯装置１である。【選択図】図４
2008287623.tif 000002
【特許請求の範囲】
【請求項１】
表示内容が可変可能な表示手段を有する器具本体と；
バッテリと；  表示手段に接続されるとともに、常時は商用電源からの給電により表示手段に表示内容を表示させ、商用電源の遮断時にはバッテリからの給電により表示手段に表示内容を表示させる制御手段と；を具備し、制御手段は、非常時には、少なくとも標準化されたシンボルの内容をそのパターンを変えることなく表示手段に表示させるようにしたことを特徴とする誘導灯装置。
【請求項２】
制御手段は、常時に、標準化されたシンボルの内容を動的態様で表示手段に表示させることを特徴とする請求項１に記載の誘導灯装置。
【請求項３】
制御手段は、常時に、誘導灯装置の点検情報を表示手段に表示させることを特徴とする請求項１又は請求項２に記載の誘導灯装置。
【請求項４】
制御手段は、常時に、誘導灯装置の位置情報を表示手段に表示させることを特徴とする請求項１乃至請求項３のいずれか一に記載の誘導灯装置。
【請求項５】
制御手段は、非常時に、標準化されたシンボルの内容をそのパターンを変えることなく表示手段に表示させるとともに、避難誘導に関連した情報を表示手段に表示させることを特徴とする請求項１乃至請求項４のいずれか一に記載の誘導灯装置。
【請求項６】
請求項１乃至請求項５のいずれか一に記載の誘導灯には、非常検知手段が接続されていることを特徴とする誘導灯装置制御システム。
【発明の詳細な説明】
【技術分野】
【０００１】
本発明は、誘導灯装置及びその誘導灯装置を用いた制御システムに関する。
【背景技術】
【０００２】
従来、この種、誘導灯装置においては、避難方向を示すシンボルが印刷された表示板を設け、この表示板に光源からの出射光を入射させてシンボルを照明表示させていた（特許文献１参照）。
【０００３】
一方、薄型化を可能とした有機ＥＬ表示装置がある（特許文献２参照）。この有機ＥＬ表示装置は、基本的には、ＥＬ素子をバックライトとして用い、表示パネルの内容を表示するものであるが「ドットマトリスクによってＥＬ素子に動画を入力し、動画または動く表示を行っても良い」点、バックライトとしての使用ではあるが「ＲＯＭの切り替えにより表示パネルの発光内容を切り替えると良い」点が記載されている。加えて、この有機ＥＬ表示装置をバックライトとして避難誘導灯等に利用する点が記載されている。
【０００４】
したがって、特許文献２には、表示パネルの内容を可変し得る技術思想が示されているといえる。
【特許文献１】特開２００７−８７８０６号公報
【特許文献２】特開２００１−１３８９８号公報
【発明の開示】
【発明が解決しようとする課題】
【０００５】
しかしながら、特許文献１に示されたものにおいては、表示板には、シンボルが印刷されているので、表示内容は固定的である。また、特許文献２に示されたものにおいては、表示パネルの内容を可変し得る点が示されているにとどまる。
【０００６】
そこで、本発明は、表示内容を可変可能としながらも、非常時には標準化されたシンボルの内容をそのパターンを変えることなく表示させるようにしたもので、安全、確実で機能及び付加価値の向上を図ることができる誘導灯装置及び誘導灯装置制御システムを提供することを目的とする。
【課題を解決するための手段】
【０００７】
請求項１に記載の誘導灯装置は、表示内容が可変可能な表示手段を有する器具本体と、  バッテリと、表示手段に接続されるとともに、常時は商用電源からの給電により表示手段に表示内容を表示させ、商用電源の遮断時にはバッテリからの給電により表示手段に表示内容を表示させる制御手段とを具備し、制御手段は、非常時には、少なくとも標準化されたシンボルの内容をそのパターンを変えることなく表示手段に表示させるようにしたことを特徴とする。
【０００８】
本発明及び以下の発明において、特に指定しない限り用語の定義及び技術的意味は次による。
【０００９】
表示手段には、有機ＥＬ、液晶、ＬＥＤ等が適用でき、表示内容が可変可能に構成できればよい。  
【００１０】
バッテリは、器具本体に内蔵されていてもよいし、また、別置形として構成してもよい。
【００１１】
非常時とは、停電により商用電源が遮断された場合、火災の発生により誘導灯装置に接続された非常検知手段が動作した場合、バッテリの寿命点検を任意に行う点検時等をいう。
【００１２】
標準化されたシンボルの内容とは、法律、施行規則、省令及び条例等の規定並びにそれらに基づく基準及びガイドライン、また、例えば、社団法人日本照明器具工業会等の業界団体で定められた規格等を含み定められたシンボルの内容を意味する。ここで、シンボルは、標識、文字及び色彩等を含めた概念である。
【００１３】
そのパターンを変えることなくとは、非常時には、いつでも画一的に予め定められた同じ表示がなされることを意味する。
【００１４】
請求項２に記載の誘導灯装置は、請求項１に記載の誘導灯装置において、制御手段は、常時に、標準化されたシンボルの内容を動的態様で表示手段に表示させることを特徴とする。
【００１５】
動的態様とは、シンボルの内容が視覚的に連続又は非連続的に動いて表示されることをいう。
【００１６】
請求項３に記載の誘導灯装置は、請求項１又は請求項２に記載の誘導灯装置において、
【００１７】
制御手段は、常時に、器具本体の点検情報を表示手段に表示させることを特徴とする。
【００１８】
点検情報とは、定期点検時期の告知、点検結果の表示、装置の部品の異常の告知等をいう。
【００１９】
請求項４に記載の誘導灯装置は、請求項１乃至請求項３のいずれか一に記載の誘導灯装置において、制御手段は、常時に、器具本体の位置情報を表示手段に表示させることを特徴とする。
【００２０】
請求項５に記載の誘導灯装置は、請求項１乃至請求項４のいずれか一に記載の誘導灯装置において、制御手段は、非常時に、標準化されたシンボルの内容をそのパターンを変えることなく表示手段に表示させるとともに、避難誘導に関連した情報を表示手段に表示させることを特徴とする。
【００２１】
本発明によれば、標準化されたシンボルの内容の表示に併せて、避難誘導に関連した情報を表示することも許容するが、少なくとも標準化されたシンボルの内容の表示は行われることになる。
【００２２】
請求項６に記載の誘導灯装置制御システムは、請求項１乃至請求項５のいずれか一に記載の誘導灯において、非常検知手段が接続されていることを特徴とする。
【００２３】
非常検知手段には、炎検知センサ、煙検知センサ、ガス検知センサ等が適用可能である。
【００２４】
また、接続とは、有線、無線を問うものではない。
【発明の効果】
【００２５】
本発明は、誘導灯装置の不可欠な機能を確実に果たしながら、付加価値の向上を図ることができる誘導灯装置及び誘導灯装置制御システムを提供することができる。
【発明を実施するための最良の形態】
【００２６】
以下、本発明の一実施の形態を、図面を参照して説明する。  図１乃至図６は第１の実施形態を示し、図１乃至図３は誘導灯装置の斜視図、図４は同機能ブロック図である。また、図５及び図６は、表示内容を説明するための誘導灯装置の斜視図である。
【００２７】
まず、図１、図２及び図３において、誘導灯装置1は、天井又は壁面に取付けられて使用されるものであり、表示手段３を有する器具本体２と、この器具本体２に内蔵されたバッテリ及び制御手段等から構成されている。
【００２８】
表示手段３は、有機ＥＬ素子からなる略正方形の薄型の表示パネルであり、このパネルは、ガラス基板上に透光性を有する導電フィルム層（陽極）、ＥＬ素子層、電極層（陰極）、保護層を順次積層して構成され、導電フィルム層（陽極）と電極層（陰極）に電源の出力端を接続し、通電することによりＥＬ素子層が発光するようになっている。
【００２９】
また、ＥＬ素子層は、ドットマトリクス状に配置され、これにより画素を形成し、自発光により画像を表示するようになっている。したがって、表示パネルを制御することにより任意の画像表示が可能となる。
【００３０】
なお、有機ＥＬ素子は、高分子系ＥＬでも低分子系ＥＬでもよく、また、無機ＥＬであってもよい。
【００３１】
さて、図１において、表示パネルに表された画像は、消防法に基づき定められた標準化されたひとつのシンボル２０である。これは緑色の地２１に避難口であることを示したシンボル２０であり、標準化され顕著な標識となっている。
【００３２】
次に、図２に示されたものは、標準化されたシンボル２０を基礎として、この避難口を駆抜ける人物２２を動的態様で表示したものである。つまり、動画として表したもので、人物２２を第１の位置２２ａから第２の位置（破線で示す）２２ｂへ駆抜ける姿を視覚的に連続して見えるように表し、これを繰り返し表示するようにしたものである。
【００３３】
なお、この表示を視覚的に非連続とし、すなわち、第１の位置２２ａと第２の位置２２ｂを主点として、相互に点滅するように表示してもよい。この場合も人物２２が駆抜ける姿をイメージすることができる。
【００３４】
次に、動的態様の別の実施例について、図３を参照して説明する。図３に示されたものは、避難の方向を示す矢印のシンボル２５を基礎として、このシンボルを図示上、左方向へ視覚的に移動するように表示するものである。つまり、図３（ａ）に示すシンボルの位置２５ａから、図３（ｂ）に示すシンボルの位置２５ｂ、そして図３ｃに示すシンボルの位置２５ｃへと連続して、繰り返し表示するものである。この場合においても、上述と同様に、表示を視覚的に非連続としてもよい。
【００３５】
以上の実施形態の表示パネルの表示において、その表示態様の詳細は後述するが、常時は、図２又は図３に示すような動的態様を表示し、非常時は、図１に示す標準化されたシンボル２０を表示する。
【００３６】
次に、図４を参照して本実施形態の機能及び構成を説明する。誘導灯装置1は、建物内の天井や壁面に複数台設置されている。誘導灯装置1は、商用電源４に接続されており、この電源４には、電源遮断検出回路５、充電回路６、制御手段７が接続されている。
【００３７】
電源遮断検出回路５は、商用電源４の電圧が所定時間所定値以下であることを検出したときに、停電が発生したと判断して、電源遮断検出信号を制御手段７に送信する。
【００３８】
充電回路６は、商用電源４の交流を所定の直流電圧に変換して、バッテリ８に給電し、充電するものである。そして、バッテリ８は、制御手段７に接続されている。
【００３９】
また、制御手段７には、表示手段３、記憶手段９、非常検知手段１０としての炎検知センサ、煙検知センサ、ガス検知センサが接続されている。非常検知手段１０は、建物内の複数の出入り口等に設置されるものである。
【００４０】
制御手段７は、交直変換機能、電源遮断検出信号・非常検知検出信号受信機能、記憶手段９からのデータ読出し機能、各種判断機能、表示制御機能等を有している。
【００４１】
表示手段３は、上述のように有機ＥＬ素子から構成されている。記憶手段９には、常時の表示手段３の表示内容、すなわち、図２又は図３に示す標準化されたシンボル２０又は２５を基礎とする動的態様、及び非常時の表示手段３の表示内容、すなわち、図１に示す標準化されたシンボル２０を表示する情報が格納されている。
【００４２】
したがって、常時は、商用電源４から直流電圧に変換された所定の電圧が表示手段３である有機ＥＬ素子に印加され、表示手段３には、制御手段７を介して読出された記憶手段９の情報、すなわち、図２又は図３に示す動的態様の表示がなされる。
【００４３】
次に、非常時、例えば、停電が発生すると、制御手段７は、電源遮断検出回路５からの検出信号を受け、電源をバッテリ８からの給電に切換えるとともに、記憶手段９から非常時の表示手段３の表示内容を読出し、これに基づき、表示手段３の表示内容を切換え、図１に示す標準化されたシンボル２０を表示する。
【００４４】
また、制御手段７が、非常検知手段１０から非常検知検出信号を受信した場合も、前記と同様に表示手段７には図１に示す非常時の表示がなされる。
【００４５】
なお、誘導灯装置１は、定期的に諸事項を点検する
ことが義務付けられており、このため、電源遮断検出回路５には、点検回路１１が接続されている。ここで、点検スイッチ１２が操作されると点検時、すなわち、点検モードとなり、点検がスタートする。点検回路１１から擬似の停電検出信号が電源遮断検出回路５に送られ、電源遮断検出回路５は、その検出信号を制御手段７に送信する。すると、非常時と同様に、電源をバッテリ８からの給電に切換えるとともに、記憶手段９から非常時の表示手段３の表示内容を読出し、図１に示す標準化されたシンボル２０を表示する。
【００４６】
そして、所定時間（例えば、２０分）経過後又は所定時間経過中にバッテリ８電圧等を検出し、その結果を基準値と比較して、基準値を下回っている場合には、その結果を記憶手段９に格納する。
【００４７】
点検モード終了後は、電源は商用電源４に切換わり、点検結果に従い、制御手段７は記憶手段９から情報を読み出し、例えば、図５又は図６に示すように表示手段３に「バッテリを交換してください。」との異常表示のメーセージを表示する。
【００４８】
ここで、図５及び図６は、表示手段３の表示内容を示すもので、上述の構成と同一又は相当部分には同一符号を付し、重複した説明は省略する。
【００４９】
図５に示す表示内容は、シンボル２０を「バッテリを交換してください。」とのメーセージに切換えたものである。また、図６に示す表示内容は、シンボル２０の一部に「バッテリを交換してください。」とのメッセージを付加したものである。
【００５０】
異常表示のメッセージは、バッテリ８を交換するか、手動でクリアしない限り、その表示は継続保持される。
【００５１】
また、このメッセージを強調するため、メッセージを点滅表示させてもよいし、バッテリの交換を促すマークを表示するようにしてもよい。さらに、点検のスタートは、リモコン操作により行うようにしてもよい。
【００５２】
なお、本実施形態において、定期的な点検を確実にするため、その時期の告知を表示手段にメッセージ、マーク等で表示するようにしてもよい。
【００５３】
以上のように本実施形態によれば、表示手段の表示内容は可変可能ではあるが、非常時には、標準化されたシンボルの内容をそのパターンを変えることなく表示手段に表示させるようにしたものである。具体的には、常時は、シンボルを動的態様で表示し、非常時には、標準化されたシンボルの内容をいつでも同じものを表示するようにしたものである。
【００５４】
したがって、常時は、動的態様の可変した表示により、看者に視覚的効果を付与することができ、避難口の位置等の認識が高まり、非常時の対応が円滑になる効果が期待できる。
【００５５】
一方、標準化されたシンボルの内容は、周知性が高く、人々の認識度も高い。また、構成が単純明快であり、分かり易いことから、非常時には、この予め定められた標識の内容を画一的に表示するようにしたものである。
【００５６】
非常時のパニック状態を想定すると、使用者側にとっても、製作者側にとっても、安全、確実、安心感、信頼感といった効果を期待することができる。加えて、メンテナンスにおいても、表示内容を可変可能としながらも、非常時は、標準化されたシンボルの内容を必ず画一的に表示するようにしてあるので、その点検作業が単純化される利点がある。
【００５７】
さらにまた、点検時の点検結果を表示手段にメッセージ等で表示できるので、点検結果が分かり易い利点がある。
【００５８】
以上説明してきたように、本発明は、常時は、各種表示内容を表示可能であるが、非常時には、必ず標準化されたシンボルの内容を表示することを要旨とする。これにより、誘導灯装置の不可欠な機能を確実に果たしながら、付加価値を向上できる従来にはない誘導灯装置及び誘導灯装置制御システムを提供できるものである。
【００５９】
次に、本発明の第２の実施形態について説明する。（実施例１）第１の実施例を図７を参照して説明する。図７は、表示手段３の表示内容を示すもので、上述の構成と同一又は相当部分には同一符号を付し、重複した説明は省略する。
【００６０】
図は、常時における表示内容を示すものである。ここでは、位置情報として、建物の３階フロアーの地図３０を示し、この誘導灯装置1の位置を現在地として表示している。例えば、これをデパートの館内に適用すれば効果的である。
【００６１】
本実施例によれば、建物内に設置が必須な誘導灯装置を効果的に利用して、常時は位置情報を表示し、非常時においては、図１に示す標準化されたシンボル２０を表示するものである。
【００６２】
したがって、非常時における誘導灯装置としての機能を確実に果たしながら、付加価値を向上できる効果を奏することができる。
【００６３】
（実施例２）第２の実施例は、図示は省略するが、誘導灯装置1の制御手段７に自己点検機能を付加するものである。したがって、誘導灯装置1は、常時、バッテリ、その他の部品の状態を自動的に監視するように構成されている。例えば、バッテリが寿命と判断された場合には、前述の点検モードのときと同様に、図５又は図６に示すように「バッテリを交換してください。」とのメッセージを表示手段３に表示する。
【００６４】
なお、このメッセージを強調するため、メッセージを点滅表示させてもよいし、バッテリの交換を促すマークを表示するようにしてもよい。
【００６５】
本実施例によれば、常時、部品の状態等を点検し、異常表示を表示手段にメッセージ等で表示できるので、装置の信頼性が向上し、また、表示が分かり易い利点がある。
【００６６】
次に、本発明の第３の実施形態を図８を参照して説明する。図８は、表示手段３の表示内容を示すもので、上述の構成と同一又は相当部分には同一符号を付し、重複した説明は省略する。
【００６７】
図は、非常時における表示内容を示すものである。ここでは、標準化されたシンボル２０を表示するとともに、シンボル２０の下側に付加情報として、避難誘導に関連した情報４０を表示している。具体的には、非常情報の内容と発生場所として「２階北側・火災発生」と文字にて表示している。
【００６８】
なお、付加情報としては、文字ではなく、視覚的に即座に理解できるようなマークを表示してもよく、また、非常検知手段からの信号に応じて、制御手段の判断により、一層安全な方向、通路へ避難誘導するように表示させてもよい。
【００６９】
以上のように本実施形態によれば、非常時において、標準化されたシンボルを表示させるとともに、避難誘導に関連した情報を表示しているので、避難に際しての混乱を回避することが期待できる。
【００７０】
次に、標準化されたシンボルの表示例を図９及び図１０を参照して説明する。上述の構成と同一又は相当部分には同一符号を付し、重複した説明は省略する。
【００７１】
図９は、避難の方向を示すシンボルと避難口を示すシンボルとを組み合わせた表示例５０である。図１０は、避難口であることを示す文字を用いた表示例６０である。
【００７２】
本発明は、これらの表示例を本発明でいう「標準化されたシンボルの内容」として適用することを妨げないものである。
【００７３】
したがって、これらの表示例を適用した場合には、非常時には、必ず選択した表示例がシンボルの内容として表示手段に表示されるようになる。
【００７４】
次に、本発明の第４の実施形態について、図１１を参照して説明する。図１１は、いわゆる集中制御方式の誘導灯装置を示す概要図である。なお、第１の実施形態と同一又は相当部分には同一符号を付し、その詳細な説明を省略する。
【００７５】
まず、建物内の天井や壁面に複数設置された誘導灯装置1が通信線１３を介して制御盤１４に接続されている。この各誘導灯装置1は、第１の実施形態で説明した誘導灯装置と同様な構成をなしている。
【００７６】
そして、制御盤１４は、通信線１３を介して各誘導灯装置1を集中制御するもので、各誘導灯装置1の監視機能、定期点検制御機能、各種制御モードのセット・リセット機能等を有する。
【００７７】
本発明は、このような集中制御方式の誘導灯装置にも適用できる。なお、集中制御方式の誘導灯装置の場合、前記制御手段７を制御盤１４に設けることも可能である。
【図面の簡単な説明】
【００７８】
【図１】本発明の第１の実施形態を示す誘導灯装置の斜視図である。
【図２】同誘導灯装置の斜視図である。
【図３】同誘導灯装置の斜視図である。
【図４】同誘導灯装置の機能ブロック図である。
【図５】同誘導灯装置の表示内容を説明するための斜視図である。
【図６】同斜視図である。
【図７】本発明の第２の実施形態を示す誘導灯装置の斜視図である。
【図８】本発明の第３の実施形態を示す誘導灯装置の斜視図である。
【図９】シンボルの表示例を示す斜視図である。
【図１０】同斜視図である。
【図１１】本発明の第４の実施形態を示す誘導灯装置の概要図である。
【符号の説明】
【００７９】
１        誘導灯装置  ２        器具本体  ３        表示手段  ７        制御手段  ８        バッテリ  ２０      標準化されたシンボル
【図１】
2008287623.tif 000003
【図２】
2008287623.tif 000004
【図３】
2008287623.tif 000005
【図４】
2008287623.tif 000006
【図５】
2008287623.tif 000007
【図６】
2008287623.tif 000008
【図７】
2008287623.tif 000009
【図８】
2008287623.tif 000010
【図９】
2008287623.tif 000011
【図１０】
2008287623.tif 000012
【図１１】
2008287623.tif 000013